(57)【特許請求の範囲】
【請求項１】
少なくとも１本の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容するシールドシェルとを備え、
前記シールドシェルは、前記インナーハウジングが配置されるベースと、前記インナーハウジングを覆うように前記ベースに嵌合されるカバーとを有し、
前記ベースは、前記インナーハウジングの下面を覆う底板部と、前記インナーハウジングの両側面を覆うように前記底板部の両側から立設する一対のベース側板部とを有し、
前記インナーハウジングの側面及び前記ベース側板部の一方は、
他方側に突出して上下方向に延び、前記インナーハウジングと前記ベースとの前後方向の相対的な移動を規制する前後規制凸部と、
他方側に突出して前記インナーハウジングと前記ベースとの上下方向の相対的な移動を規制する上下規制凸部とを備え、
前記インナーハウジングの側面及び前記ベース側板部の他方は、
上下方向の一端から他端側に沿って形成され、前記前後規制凸部が係合する前後規制切欠部と、
前記上下規制凸部が係合される上下規制孔部とを備え、
前記前後規制凸部と前記上下規制凸部とが一連に形成され、
前記前後規制切欠部と前記上下規制孔部とが連通しているシールドコネクタ。
【請求項２】
少なくとも１本の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容するシールドシェルとを備え、
前記シールドシェルは、前記インナーハウジングが配置されるベースと、前記インナーハウジングを覆うように前記ベースに嵌合されるカバーとを有し、
前記ベースは、前記インナーハウジングの下面を覆う底板部と、前記インナーハウジングの両側面を覆うように前記底板部の両側から立設する一対のベース側板部とを有し、
前記インナーハウジングの側面及び前記ベース側板部の一方は、
他方側に突出して上下方向に延び、前記インナーハウジングと前記ベースとの前後方向の相対的な移動を規制する前後規制凸部と、
他方側に突出して前記インナーハウジングと前記ベースとの上下方向の相対的な移動を規制する上下規制凸部とを備え、
前記インナーハウジングの側面及び前記ベース側板部の他方は、
上下方向の一端から他端側に沿って形成され、前記前後規制凸部が係合する前後規制切欠部と、
前記上下規制凸部が係合される上下規制孔部とを備え、
前記上下規制凸部及び前記上下規制孔部を複数有し、
前記上下規制凸部及び前記上下規制孔部同士が前後に間隔を開けて設けられているシールドコネクタ。
【請求項３】
少なくとも１本の通信線を含む電線と、前記電線の周囲を一括して被覆するシールド導体とを有するシールドケーブルの端部に接続されるシールドコネクタであって、
前記電線の導体端部に接続される端子を保持するインナーハウジングと、
前記インナーハウジング及び前記シールドケーブルの端部を収容するシールドシェルとを備え、
前記シールドシェルは、前記インナーハウジングが配置されるベースと、前記インナーハウジングを覆うように前記ベースに嵌合されるカバーとを有し、
前記ベースは、前記インナーハウジングの下面を覆う底板部と、前記インナーハウジングの両側面を覆うように前記底板部の両側から立設する一対のベース側板部とを有し、
前記インナーハウジングの側面及び前記ベース側板部の一方は、
他方側に突出して上下方向に延び、前記インナーハウジングと前記ベースとの前後方向の相対的な移動を規制する前後規制凸部と、
他方側に突出して前記インナーハウジングと前記ベースとの上下方向の相対的な移動を規制する上下規制凸部とを備え、
前記インナーハウジングの側面及び前記ベース側板部の他方は、
上下方向の一端から他端側に沿って形成され、前記前後規制凸部が係合する前後規制切欠部と、
前記上下規制凸部が係合される上下規制孔部とを備え、
前記前後規制凸部と前記上下規制凸部とが前記インナーハウジングの側面に形成され、
前記前後規制切欠部と前記上下規制孔部とが前記ベース側板部に形成されているシールドコネクタ。
【請求項４】
前記上下規制凸部及び前記上下規制孔部を複数有し、
前記上下規制凸部及び前記上下規制孔部同士が前後に間隔を開けて設けられている請求項１に記載のシールドコネクタ。
【請求項５】
前記上下規制凸部及び前記上下規制孔部を２つずつ有し、
一方の前記上下規制凸部及び前記上下規制孔部が、前記前後規制凸部及び前記前後規制切欠部と一連に形成され、
他方の前記上下規制凸部及び前記上下規制孔部が、一方の前記上下規制凸部及び前記上下規制孔部と間隔を開けて設けられている請求項２又は請求項４に記載のシールドコネクタ。
【請求項６】
前記前後規制凸部と前記上下規制凸部とが前記インナーハウジングの側面に形成され、
前記前後規制切欠部と前記上下規制孔部とが前記ベース側板部に形成されている請求項１、請求項２、請求項４、請求項５のいずれか１項に記載のシールドコネクタ。
【請求項７】
少なくとも１本の通信線を含む電線と、前記電線の周囲を一括して被覆するシールド導体とを有するシールドケーブルと、前記シールドケーブルの端部に接続されるシールドコネクタとを備えるコネクタ付きシールドケーブルであって、
前記シールドコネクタが、請求項１から請求項６のいずれか１項に記載のシールドコネクタであるコネクタ付きシールドケーブル。
【発明の詳細な説明】
【技術分野】
【０００１】
本発明は、シールドケーブルの端末に接続されるシールドコネクタ、及びこのシールドコネクタを備えるコネクタ付きシールドケーブルに関する。特に、シールドコネクタのインナーハウジングとインナーハウジングが配置されるベースとのがたつきを効果的に抑制できるシールドコネクタに関する。
【背景技術】
【０００２】
従来、自動車などの車両に搭載された電装品（ナビゲーション装置、ＥＴＣ（Ｅｌｅｃｔｒｏｎｉｃ  Ｔｏｌｌ  Ｃｏｌｌｅｃｔｉｏｎ）装置、モニタなど）と外部機器（カメラなど）との間や、電装品間の通信にシールドケーブルが利用されている。通信用のシールドケーブルは、一般に、通信線を含む電線と、電線の周囲を一括して被覆するシールド導体と、シールド導体の外周を被覆するシースとを有する。電線は、導体とその外周に絶縁被覆を有する。
【０００３】
通常、シールドケーブルの端末には、シールドコネクタが取り付けられている。シールドコネクタは、シースを除去してシールド導体から電線を露出させたシールドケーブルの端部に接続することで、シールドケーブルに取り付けられる。シールドコネクタは、電線の導体端部に接続される端子を保持するインナーハウジングと、インナーハウジング及びシールドケーブルの端部を収容するシールドシェルとを備える。シールドシェルには、シールド導体が電気的に接続される。
【０００４】
シールドコネクタに関する技術が特許文献１に開示されている。特許文献１のシールドコネクタは、シールドシェルが上下に２分割された構造であり、インナーハウジングが配置されるベースと、インナーハウジング及びシールドケーブルの端部を覆うようにベース上に取り付けられるカバーとを備える。ベースは、長手方向に直交する横断面の形状が上向きに開口する］状であり、底板部と、底板部の両側に位置する一対の側板部とを有する。一方、カバーは、ベースの上方から全面的に覆う平板状のカバー板部を有する。インナーハウジングとベースとの固定は、インナーハウジングの両側面に形成された係止凹部と、ベースの両側板部を切り欠いて形成した係止突部と、を係合することで行われている。
【先行技術文献】
【特許文献】
【０００５】
【特許文献１】特開２０１２−０１８８９８号公報
【発明の概要】
【発明が解決しようとする課題】
【０００６】
インナーハウジングとベースとのがたつきを十分に抑制することが望まれている。特許文献１では、インナーハウジングの両側面とベースの両側板部とを１箇所ずつで固定しているため、インナーハウジングとベースとのがたつき、特にインナーハウジングのベースに対する傾きを効果的に抑制することが難しい。
【０００７】
本発明は、上記の事情に鑑みてなされたもので、その目的の一つは、インナーハウジングとベースとのがたつきを効果的に抑制できるシールドコネクタを提供することにある。
【０００８】
本発明の他の目的は、上記シールドコネクタを備えるコネクタ付きシールドケーブルを提供することにある。
【課題を解決するための手段】
【０００９】
本発明の一態様に係るシールドコネクタは、少なくとも１本の通信線を含む電線と、電線の周囲を一括して被覆するシールド導体とを有するシールドケーブルの端部に接続される。このシールドコネクタは、電線の導体端部に接続される端子を保持するインナーハウジングと、インナーハウジング及びシールドケーブルの端部を収容するシールドシェルとを備える。シールドシェルは、インナーハウジングが配置されるベースと、インナーハウジングを覆うようにベースに嵌合されるカバーとを有する。ベースは、インナーハウジングの下面を覆う底板部と、インナーハウジングの両側面を覆うように底板部の両側から立設する一対のベース側板部とを有する。インナーハウジングの側面及び前記ベース側板部の一方は、前後規制凸部と、上下規制凸部とを備え、インナーハウジングの側面及び前記ベース側板部の他方は、前後規制切欠部と、上下規制孔部とを備える。前後規制凸部は、他方側に突出して上下方向に延び、インナーハウジングとベースとの前後方向の相対的な移動を規制する。上下規制凸部は、他方側に突出してインナーハウジングとベースとの上下方向の相対的な移動を規制する。前後規制切欠部は、上下方向の一端から他端側に沿って形成され、前後規制凸部が係合する。上下規制孔部は、上下規制凸部が係合される。
【００１０】
本発明の一態様に係るコネクタ付きシールドケーブルは、少なくとも１本の通信線を含む電線と、電線の周囲を一括して被覆するシールド導体とを有するシールドケーブルと、シールドケーブルの端部に接続されるシールドコネクタとを備える。そして、シールドコネクタが、上記本発明の一態様に係るシールドコネクタである。
【発明の効果】
【００１１】
上記シールドコネクタは、インナーハウジングとベースとのがたつきを効果的に抑制できる。
【００１２】
上記コネクタ付きシールドケーブルは、シールドコネクタとシールドケーブルとのがたつきを効果的に抑制できる。
【図面の簡単な説明】
【００１３】
【図１】実施形態１のコネクタ付きシールドケーブルを前方から見た概略斜視図である。
【図２】実施形態１のコネクタ付きシールドケーブルの概略側面図である。
【図３】実施形態１のコネクタ付きシールドケーブルを後方から見た概略分解斜視図である。
【図４】実施形態１のコネクタ付きシールドケーブルを後方から見た別の概略分解斜視図である。
【図５】シールドケーブル端部の概略側面図である。
【図６】シールドケーブル端部における電線の配置を示す概略断面図である。
【図７】実施形態１のシールドコネクタの概略分解斜視図である。
【図８】実施形態１のシールドコネクタの概略分解側面図である。
【図９】実施形態１のシールドコネクタにおけるシールドシェルのカバーと、インナーハウジングが配置されたベースを示す概略平面図である。
【図１０】変形例１のシールドコネクタのインナーハウジングとベースとを示す概略分解側面図である。
【発明を実施するための形態】
【００１４】
《本発明の実施形態の説明》
最初に本発明の実施態様を列記して説明する。
【００１５】
（１）本発明の一態様に係るシールドコネクタは、少なくとも１本の通信線を含む電線と、電線の周囲を一括して被覆するシールド導体とを有するシールドケーブルの端部に接続される。このシールドコネクタは、電線の導体端部に接続される端子を保持するインナーハウジングと、インナーハウジング及びシールドケーブルの端部を収容するシールドシェルとを備える。シールドシェルは、インナーハウジングが配置されるベースと、インナーハウジングを覆うようにベースに嵌合されるカバーとを有する。ベースは、インナーハウジングの下面を覆う底板部と、インナーハウジングの両側面を覆うように底板部の両側から立設する一対のベース側板部とを有する。インナーハウジングの側面及び前記ベース側板部の一方は、前後規制凸部と、上下規制凸部とを備え、インナーハウジングの側面及び前記ベース側板部の他方は、前後規制切欠部と、上下規制孔部とを備える。前後規制凸部は、他方側に突出して上下方向に延び、インナーハウジングとベースとの前後方向の相対的な移動を規制する。上下規制凸部は、他方側に突出してインナーハウジングとベースとの上下方向の相対的な移動を規制する。前後規制切欠部は、上下方向の一端から他端側に沿って形成され、前後規制凸部が係合する。上下規制孔部は、上下規制凸部が係合される。
【００１６】
上記の構成によれば、インナーハウジングとベースとのがたつきを効果的に抑制できる。前後規制凸部と前後規制切欠部の係合、及び上下規制凸部と上下規制孔部の係合のそれぞれにより、インナーハウジングとベースとの前後方向、及び上下方向の相対的な移動を効果的に抑制でき、これら両係合によりベースに対するインナーハウジングの傾きを効果的に抑制できるからである。このようにインナーハウジングのシールドシェルに対する動きを規制することで、インナーハウジングとシールドシェルとの間のインピーダンスに変化が生じ難い。従って、シールドコネクタでのインピーダンスの不整合による通信品質の低下を効果的に抑制できる。
【００１７】
（２）上記シールドコネクタの一形態として、前後規制凸部と上下規制凸部とが一連に形成され、前後規制切欠部と上下規制孔部とが連通していることが挙げられる。
【００１８】
上記の構成によれば、前後規制凸部と上下規制凸部とが一連に形成されず独立して形成されている場合に比べて、形成箇所がインナーハウジングの各側面及び各ベース側板部のそれぞれ１箇所であるため、形成し易い。前後規制凸部と上下規制凸部とが一連に形成されていることで、このように形成箇所が１箇所でもインナーハウジングとベースとの前後方向及び上下方向の相対的な移動に加えて、傾きを効果的に抑制できる。
【００１９】
特に、前後規制切欠部及び上下規制孔部をベース側板部に形成する場合、インナーハウジングとベースとの組立作業性に優れる。詳しくは後述する。
【００２０】
（３）上記シールドコネクタの一形態として、上下規制凸部及び上下規制孔部を複数有し、上下規制凸部及び上下規制孔部同士が前後に間隔を開けて設けられていることが挙げられる。
【００２１】
上記の構成によれば、インナーハウジングのベースに対する傾きをより一層抑制し易い。
【００２２】
（４）上下規制凸部及び上下規制孔部を複数有する上記シールドコネクタの一形態として、上下規制凸部及び上下規制孔部を２つずつ有することが挙げられる。この場合、一方の上下規制凸部及び上下規制孔部が、前後規制凸部及び前後規制切欠部と一連に形成され、他方の上下規制凸部及び上下規制孔部が、一方の上下規制凸部及び上下規制孔部と間隔を開けて設けられていることが好ましい。
【００２３】
上記の構成によれば、インナーハウジングとベースとの前後方向及び上下方向の相対的な移動と、インナーハウジングのベースに対する傾きとをより一層効果的に抑制できる。
【００２４】
（５）上記シールドコネクタの一形態として、前後規制凸部と上下規制凸部とがインナーハウジングの側面に形成され、前後規制切欠部と上下規制孔部とがベース側板部に形成されていることが挙げられる。
【００２５】
上記の構成によれば、前後規制凸部及び上下規制凸部のそれぞれが前後規制切欠部及び上下規制孔部から外側に露出するため、前後規制凸部及び上下規制凸部と前後規制切欠部及び上下規制孔部との係合状態を外部から確認し易い。そのため、インナーハウジングとベースとがしっかり固定されたか確認し易い。
【００２６】
（６）本発明の一態様に係るコネクタ付きシールドケーブルは、少なくとも１本の通信線を含む電線と、電線の周囲を一括して被覆するシールド導体とを有するシールドケーブルと、シールドケーブルの端部に接続されるシールドコネクタとを備える。そして、シールドコネクタが、上記（１）〜（５）のいずれか１つに記載のシールドコネクタである。
【００２７】
上記の構成によれば、インナーハウジングとベースとのがたつきを効果的に抑制できるシールドコネクタを備えることで、シールドコネクタとシールドケーブルとのがたつきを効果的に抑制できる。従って、通信品質の向上が可能である。
【００２８】
《本発明の実施形態の詳細》
本発明の実施形態に係るシールドコネクタ及びコネクタ付きシールドケーブルの具体例を、以下に図面を参照しつつ説明する。図中の同一符号は同一名称物を示す。なお、本発明は、これらの例示に限定されるものではなく、特許請求の範囲によって示され、特許請求の範囲と均等の意味および範囲内でのすべての変更が含まれることが意図される。
【００２９】
《実施形態１》
〔コネクタ付きシールドケーブル〕
図１〜図９を参照して実施形態１に係るコネクタ付きシールドケーブル１を説明する。コネクタ付きシールドケーブル１は、図１，図２に示すように、シールドケーブル１００と、シールドケーブル１００の端部に接続されるシールドコネクタ１０とを備える。シールドコネクタ１０は、図３，図４に示すように、インナーハウジング２０と、インナーハウジング２０及びシールドケーブル１００の端部を収容するシールドシェル４０とを備える。シールドシェル４０は、インナーハウジング２０が配置されるベース４１と、ベース４１に嵌合されるカバー５１とを有する。コネクタ付きシールドケーブル１の主たる特徴とするところは、インナーハウジング２０とベース４１との取付構造にある。以下、コネクタ付きシールドケーブル１の主たる特徴部分及び関連する部分の構成、並びに主要な効果を順に説明し、その後、各構成を詳細に説明する。以下の説明では、シールドコネクタ１０のインナーハウジング２０側を前（正面）、シールドケーブル１００側を後とし、ベース４１（底板部４２）側を下、カバー５１（上板部５２）側を上として説明する。
【００３０】
〔主たる特徴部分及び関連する部分の構成〕
［シールドコネクタ］
（インナーハウジング）
インナーハウジング２０は、図４，図６に示すように、電線１１０の導体１１１端部に接続される端子２２を保持する。インナーハウジング２０の材質は、絶縁性樹脂が挙げられる。インナーハウジング２０は、図７に示すように、端子２２を収納する端子孔２３が形成される本体部２１と、本体部２１の後方に一体に設けられ、電線１１０の導体１１１端部が配置される配置部３１とを有する。端子孔２３は、本体部２１の上下に５個ずつ並んで形成されており（図１も併せて参照）、各端子孔２３には端子２２が挿入されて収納されている。配置部３１は、本体部２１の上下方向の中間位置から後方に向かって延出している。この配置部３１には、図６，図７に示すように、導体１１１端部を配置するための配置溝３２が形成されている。
【００３１】
（シールドシェル）
シールドシェル４０は、図３，図４に示すようにインナーハウジング２０及びシールドケーブル１００の端部を収容する。シールドシェル４０の材質は、導電性金属が挙げられる。シールドシェル４０は、図３に示すように、前方から順にインナーハウジング２０を収容するハウジング収容部６１と、露出する電線１１０の端部を収容する電線収容部６２と、シールドケーブル１００の端部が挿入されるケーブル挿入部６３とを有する。ケーブル挿入部６３には、シールドケーブル１００の外径に対応した形状の開口が形成されている。シールドケーブル１００の端部は、図３に示すように、シールド導体１３０の端部の一部がシールドシェル４０内に収容され、残部がケーブル挿入部６３から露出するように挿入される。シールドシェル４０は、インナーハウジング２０が配置されるベース４１と、インナーハウジング２０を覆うようにベース４１の上側に配置され、ベース４１の上方から覆うようにベース４１に嵌合されるカバー５１とを有する。
【００３２】
〈ベース〉
ベース４１は、図７に示すように、インナーハウジング２０の下面側に配置される。ベース４１は、インナーハウジング２０の下面を覆い、ケーブル挿入部６３に向かって延伸される底板部４２と、インナーハウジング２０の両側面を覆うように底板部４２の両側から立設する一対のベース側板部４３とを有する。ベース側板部４３は、ケーブル挿入部６３に向かって一連に形成されている。ベース側板部４３は、所定の形状に切断した金属製の板材を折り曲げることにより形成されている。
【００３３】
（インナーハウジングとベースとの取付構造）
インナーハウジング２０とベース４１との取付構造は、インナーハウジング２０の両側面と両ベース側板部４３とが互いに係合し合うことで、インナーハウジング２０とベース４１とを一体に取り付ける。この取付構造は、具体的には、インナーハウジング２０の側面とベース側板部４３の一方に他方側に突出して形成される前後規制凸部２７及び上下規制凸部２５と、他方に形成されて、各凸部２７，２５が係合される前後規制切欠部４７及び上下規制孔部４５とを備える（図７，図８）。図７，８では、左側面のみ示しているが、反対側の右側面も同じである。ここでは、前後規制凸部２７及び上下規制凸部２５は、インナーハウジング２０の側面にインナーハウジング２０と一連に形成され、前後規制切欠部４７及び上下規制孔部４５は、ベース側板部４３に形成される形態を説明する。なお、この形態とは反対に、前後規制凸部２７及び上下規制凸部２５は、ベース側板部４３の内面に一連に形成され、前後規制切欠部４７及び上下規制孔部４５は、インナーハウジング２０の側面に形成されていてもよい。
【００３４】
〈前後規制凸部〉
前後規制凸部２７は、前後規制切欠部４７と係合することで、インナーハウジング２０とベース４１との前後方向の相対的な移動を規制する。前後規制凸部２７は、インナーハウジング２０の側面からベース側板部４３側に突出して上下方向に延びるように形成される縦長の縦リブで構成される。前後規制凸部２７の形状は、インナーハウジング２０の側面からみたとき、長方形状である。前後規制凸部２７の突出長さは、上下方向に一様であり、ベース側板部４３の厚さ以下である。前後規制凸部２７の形成箇所は、インナーハウジング２０の本体部２１の側面で、前方寄りの位置としている。
【００３５】
〈上下規制凸部〉
上下規制凸部２５は、上下規制孔部４５に係合することで、インナーハウジング２０とベース４１との上下方向の相対的な移動を規制する。上下規制凸部２５は、前後規制凸部２７と同様、インナーハウジング２０の側面からベース側板部４３に突出して形成される。上下規制凸部２５の形状は、下方に向かうテーパ状、即ち、インナーハウジング２０の側面の下方側ほど突出長さが低くなるように傾斜する傾斜面を有するくさび状である。上下規制凸部２５の最大突出長さは、ベース側板部４３の厚さ以下である。
【００３６】
上下規制凸部２５の数は、単数でもよいし複数でもよい。上下規制凸部２５の数を単数とする場合、上下規制凸部２５の形成箇所は、前後規制凸部２７と一連に形成されるように前後規制凸部２７に隣接する位置でもよいし、前後規制凸部２７と離隔するように前後規制凸部２７と間隔を開けた位置でもよい。前後規制凸部２７に隣接する上下規制凸部２５の形成箇所は、前後規制凸部２７の前方側でもよいし後方側でもよい。前後規制凸部２７と離隔する上下規制凸部２５の形成箇所は、上述のように前後規制凸部２７が本体部２１に設けられている場合、本体部２１における前後規制凸部２７の後方側でもよいが、配置部３１とすることが好ましい。上下規制凸部２５を配置部３１に前後規制凸部２７と離隔させて設けると、インナーハウジング２０のベース４１に対する傾きを抑制し易い。上下規制凸部２５の複数とする場合、前後方向に並列させて、一つの上下規制凸部２５の形成箇所を、前後規制凸部２７の隣接する位置とし、残りの上下規制凸部２５の形成箇所を、前後規制凸部２７と離隔する位置としてもよいし、全ての上下規制凸部２５の形成箇所を、前後規制凸部２７と離隔する位置としてもよい。
【００３７】
ここでは、２つの上下規制凸部２５が前後方向に間隔を開けて並列されている。前方側の上下規制凸部２５は、前後規制凸部２７の後方側に前後規制凸部２７と一連に形成され、後方側の上下規制凸部２５は、前後規制凸部２７及び前方側の上下規制凸部２５と独立して配置部３１に形成されている。
【００３８】
〈前後規制切欠部〉
前後規制切欠部４７は、前後規制凸部２７が係合する。前後規制切欠部４７は、ベース側板部４３の上下方向の一端から他端側に沿って形成されている。ここでは、前後規制切欠部４７は、上端縁から下端側に沿って形成されている。即ち、前後規制切欠部４７におけるベース側板部４３の上端縁側が開口している。前後規制切欠部４７の形状は、上下に長い長方形状である。
【００３９】
〈上下規制孔部〉
上下規制孔部４５は、上下規制凸部２５が係合される。上下規制孔部４５は、上下規制凸部２５と前後規制凸部２７とが一連に形成されている場合、前後規制切欠部４７に連通して形成される。
【００４０】
ここでは、２つの上下規制孔部４５が前後に間隔を開けて並列されている。前方側の上下規制孔部４５は、前後規制切欠部４７に連通して開口しており、その形状は、矩形状である。即ち、前後規制切欠部４７と上下規制孔部４５とでＴ字状の孔が形成される。後方側の上下規制孔部４５は、周囲に開口することなく周囲が囲まれており、その形状は、矩形状である。即ち、後方側の上下規制凸部２５及び上下規制孔部４５は、インナーハウジング２０とベース４１との上下方向の相対的な移動の規制に加えて、前後方向の相対的に移動の規制も行える。
【００４１】
インナーハウジング２０とベース４１との取付手順は、インナーハウジング２０をベース４１の上方から嵌め込むことで行われる。それにより、インナーハウジング２０の上下規制凸部２５及び前後規制凸部２７と、ベース側板部４３の上下規制孔部４５及び前後規制切欠部４７とがそれぞれ係合し、インナーハウジング２０がベース４１に位置決めして固定される。上下規制孔部４５と前後規制切欠部４７とが連通しており、上下規制孔部４５の上側に位置するベース側板部４３の部分（図８中、点線で囲む部分）は、片持ち支持された状態になっている。そのため、インナーハウジング２０をベース４１の上方から嵌め込んで、上下規制凸部２５を上下規制孔部４５に係合する際、ベース側板部４３の上記部分が外側に開き易く、係合し易い。
【００４２】
〔コネクタ付きシールドケーブルの主たる特徴部分における作用効果〕
実施形態１のコネクタ付きシールドケーブル１は、以下の効果を奏する。
【００４３】
（１）インナーハウジング２０とベース４１とのがたつきを効果的に抑制できる。前後規制凸部２７と前後規制切欠部４７の係合、及び上下規制凸部２５と上下規制孔部４５の係合のそれぞれにより、インナーハウジング２０とベース４１との前後方向及び上下方向の相対的な移動を効果的に抑制でき、これら両係合により、インナーハウジング２０のベース４１に対する傾きを効果的に抑制できるからである。
【００４４】
（２）シールドコネクタ１０でのインピーダンスの不整合による通信品質の低下を効果的に抑制できる。インナーハウジング２０のシールドシェル４０に対する動きを効果的に規制できるため、インナーハウジング２０とシールドシェル４０との間のインピーダンスに変化が生じ難いからである。
【００４５】
（３）インナーハウジング２０とベース４１との組立作業性に優れる。前後規制切欠部４７と上下規制孔部４５とが連通しており、前方側の上下規制孔部４５の上方の部分は片持ち支持された状態になっている。そのため、インナーハウジング２０をベース４１の上方から嵌め込んで前後規制凸部２７を前後規制切欠部４７に係合する際、ベース側板部４３の片持ちされた部分が上下規制凸部２５により外側に開き易い。
【００４６】
（４）インナーハウジング２０とベース４１とがしっかり固定されたか確認し易い。インナーハウジング２０に前後規制凸部２７及び上下規制凸部２５を形成し、ベース側板部４３に前後規制切欠部４７及び上下規制孔部４５を形成することで、インナーハウジング２０とベース４１とを係合させた際、両凸部２７，２５がベース側板部４３からその外側に露出する。そのため、インナーハウジング２０とベース４１との係合状態を外部から確認し易い。
【００４７】
〔その他の特徴部分を含む各構成の説明〕
［シールドケーブル］
シールドケーブル１００は、少なくとも１本の通信線を含む電線と、電線の周囲を一括して被覆するシールド導体とを有する。ここでは、シールドケーブル１００は、図３〜図５に示すように、複数の電線１１０と、これら電線１１０の周囲を一括して被覆するシールド導体１３０と、シールド導体１３０の外周を被覆するシース１４０とを有する。シールド導体１３０は、銅やアルミニウムといった導電性金属からなる編組線で形成され、シース１４０は、絶縁性の樹脂やゴムなどで形成されている。シールドケーブル１００の端部では、シース１４０が除去され、図５に示すようにシールド導体１３０の端部がシース１４０上に折り返され、電線１１０の端部が露出している。複数の電線１１０の端部は撚り戻されて、図４に示すように並列に分岐されている。
【００４８】
シールドケーブル１００は、図６に示すように、１０本の電線１１０を有する。具体的には、高速通信用として、通信線１２１，１２２の対とドレイン線１２３とを２組（計６本）、低速通信用として、通信線１２４，１２５の対を１組（計２本）、並びに、電源線１２６（１本），グランド線１２７（１本）を有する。通信線１２１，１２２は、ＵＳＢ（Ｕｎｉｖｅｒｓａｌ  Ｓｅｒｉａｌ  Ｂｕｓ）３．０規格の通信線（最大通信速度：５Ｇｂｐｓ）であり、ドレイン線１２３付きの差動ペア・ケーブルである。通信線１２４，１２５は、ＵＳＢ２．０規格の通信線（最大通信速度：４８０Ｍｂｐｓ）であり、ツイストペア・ケーブルである。電線１１０のうち、ドレイン線１２３以外は、導体１１１の外周に絶縁被覆１１２（図５参照）を有する。シールドケーブル１００の端部では、図６に示すように電線１１０の端部が上下に５本ずつ分かれて配置されており、図５に示すように電線１１０の先端で導体１１１の端部が露出している。図６は、インナーハウジング２０の後方から見た図である。
【００４９】
［シールドコネクタ］
（インナーハウジング）
〈端子〉
電線１１０の導体１１１端部に接続される端子２２は、導電性金属からなるメス型端子である。この端子２２は、本体部２１の端子孔２３に収納される角筒状の部分と、その後方に一体に形成されて導体１１１端部と電気的に接続される板状の部分とを有する（図７参照）。この板状部分は、配置部３１の配置溝３２に沿って配置される。この板状部分には、図４に示すように、導体１１１端部が載置され、半田付けにより電気的に接続される。インナーハウジング２０は、図３，図４に示すように電線１１０の導体１１１端部に端子２２を接続された状態で、ベース４１に配置される。
【００５０】
〈縦溝〉
インナーハウジング２０の側面には、図８，図９に示すように、後述するカバー側板部５３の突条部５８が挿入されることで、インナーハウジング２０に対してカバー５１を位置決めする縦溝２８が形成されている。図９の上図は、カバー５１を下から見た概略平面図であり、同下図は、インナーハウジング２０が配置されたベース４１を上から見た概略平面図である。この縦溝２８は、本体部２１の前後規制凸部２７よりも前方側で上下方向に沿って形成されている。
【００５１】
（シールドシェル）
〈ベース〉
ベース４１のベース側板部４３の外面には、図７、図８に示すように、後述するカバー側板部５３の嵌合孔５４に嵌合されることで、ベース４１とカバー４１とを一体に固定する突起４４を有する。この突起４４は、ベース側板部４３の外面からその外側に向かって突出して形成されている。この突起４４の形状は、下方に向かって膨出するドーム状である。この突起４４の形成は、打ち出し（叩き出し）により行える。突起４４の下方には外面との間に切れ目が形成されているが、図８に示すように、この切れ目はベース側板部４３の外面（ベース４１の側面）を平面視したときに実質的に見えない。つまり、突起４４の形成部分は、ベース側板部４３の外面に直交する方向に実質的に開口していない。
【００５２】
・バレル部
ベース４１のケーブル挿入部６３の後端には、図３，図４に示すように、ベース４１とシールド導体１３０の端部とを一体に固定することで、シールドシェル４０とシールド導体１３０とが電気的に接続されるバレル部７０が設けられている。バレル部７０は、ケーブル挿入部６３の後端から更に後方に向かって突出するようにケーブル挿入部６３に一体に形成されている。バレル部７０は、Ｕ字状をなし、両端から延びる一対の圧着片７１，７２を有する。バレル部７０の上方からシールド導体１３０の端部を挿入し、圧着片７１，７２をかしめることで、シールド導体１３０の端部に圧着片７１，７２が圧着される（図１を参照）。バレル部７０は、圧着片７１，７２をかしめてシールド導体１３０の端部に圧着したとき、圧着片７１，７２が互いに噛み合って円筒状をなすように形成されている。具体的には、圧着片７１は、テーパ状の突片を有し、圧着片７２は、圧着片７１の突片が嵌合するＶ状の切欠を有する二股状の突片を有する。
【００５３】
〈カバー〉
カバー５１は、図３に示すように、インナーハウジング２０及びシールドケーブル１００（電線１１０）の端部がベース４１に配置された状態で、ベース４１の上方から取り付けられる。カバー５１は、インナーハウジング２０の上面を覆い、ケーブル挿入部６３に向かって延伸される上板部５２と、ベース側板部４３の外側に重複するように上板部５２の両側から立設する一対のカバー側板部５３とを有する（図７、図９を併せて参照）。カバー側板部５３は、ベース側板部４３の外側に重複して、ベース側板部４３の係合孔４５及び縦孔４７を覆う（図２を参照）。カバー側板部５３は、ケーブル挿入部６３に向かって一連に形成されている。カバー側板部５３は、ベース側板部４３と同様に、所定の形状に切断した金属製の板材を折り曲げることにより形成されている。
【００５４】
・突条部、嵌合孔
カバー側板部５３の内面には、図９に示すように、インナーハウジング２０に形成された縦溝２８に挿入することで、インナーハウジング２０に対してカバー５１が位置決めされる突条部５８を有する。この突条部５８は、カバー側板部５３の内面からインナーハウジング２０側に向かって突出し、上下方向に伸びるように形成されている。突条部５８は、カバー側板部５３の先端を内側に折り曲げることにより形成されている。カバー側板部５３の外面には、図７，図８に示すように、ベース４１にカバー５１を嵌合したとき（図２を参照）、ベース側板部４３の突起４４と嵌合することで、カバー５１とベース４１とを一体に固定する嵌合孔５４が形成されている。
【００５５】
・突出片
カバー５１のケーブル挿入部６３の後端には、図３に示すように、圧着片７１，７２をかしめてバレル部７０を圧着したとき（図１を参照）、シールドシェル４０とシールド導体１３０とが電気的に接続される突出片７５が設けられている。突出片７５は、バレル部７０に対向するようにケーブル挿入部６３の後端から更に後方に突出するようにケーブル挿入部６３と一体に形成されている。突出片７５の形状は、シールドケーブル１００の外周面に沿うように円弧状である。突出片７５は、圧着片７１，７２をかしめてバレル部７０を圧着したとき（図１を参照）、圧着片７１，７２の内側に位置して押さえ付けられ、シールド導体１３０の端部に接触する。
【００５６】
〔その他の特徴部分を含む各構成における作用効果〕
実施形態１のコネクタ付きシールドケーブル１は、上述の効果に加えて更に以下の効果を奏する。
【００５７】
（１）電磁波ノイズの侵入や漏洩を効果的に抑制でき、シールド性に優れる。カバー側板部５３がベース側板部４３に重複して、ベース側板部４３の上下規制孔部４５及び前後規制切欠部４７を覆うと共に、ベース４１とカバー５１がそれぞれ、ハウジング収容部６１からケーブル挿入部６３まで一連に形成されている。そのため、シールドシェル４０の周方向に隙間が生じ難く、インナーハウジング２０及び露出する電線１１０の端部の周囲を全周に亘ってシールドシェル４０で覆うことができる。
【００５８】
（２）通信品質の向上が可能である。シールドコネクタ１０を備えることから、シールドコネクタ１０におけるシールド性が高いからである。特に、高速通信用の通信線１２１，１２２を有するシールドケーブルに適用した場合に、通信品質の向上が期待できる。
【００５９】
（３）コネクタ１０の組立性に優れる。ベース側板部４３の突起４４とカバー側板部５３の嵌合孔５４との嵌合により、カバー５１をベース４１に位置決めして固定できるためである。突起４４が打ち出し（叩き出し）で形成されていることで、突起４４の形成部分がベース側板部４３の外面に直交する方向に実質的に開口していないため、シールドシェル４０の周方向に隙間を生じさせない。
【００６０】
（４）インナーハウジング２０とシールドシェル４０との位置決めをより高精度に行える。インナーハウジング２０の縦溝２８にカバー側板部５３の突条部５８が挿入されることで、インナーハウジング２０に対してカバー５１を位置決めできるからである。
【００６１】
（５）シールドケーブル１００の引抜強度を十分に確保できる。バレル部７０に対向するように突出片７５を有することで、圧着片７１，７２を圧着したときに締め付け力の集中を分散でき、圧着によるシールド導体１３０の端部の過度の変形を防止できながら、シールドコネクタ１０をより強固に接続できるからである。
【００６２】
《変形例１》
図１０を参照して、実施形態１のコネクタ付きシールドケーブル１におけるシールドコネクタ１０の変形例１を説明する。変形例１のシールドコネクタ１０は、インナーハウジング２０とベース４１との取付構造が実施形態１と相違する。実施形態１におけるインナーハウジング２０とベース４１との取付構造では、複数の上下規制凸部のうち１つの上下規制凸部が前後規制凸部と一連に形成され、他の上下規制凸部は前後規制凸部と独立（離隔）して形成されている形態を説明した。対して、変形例１では、複数の上下規制凸部のいずれも前後規制凸部と一連に形成されることなく、その全てが前後規制凸部と離隔して形成されている形態を説明する。変形例１は、インナーハウジング２０とベース４１との取付構造を除き実施形態１と同様であるため、以下の説明は相違点を中心に行う。
【００６３】
（インナーハウジングとベースとの取付構造）
インナーハウジング２０とベース４１との取付構造は、インナーハウジング２０の両側面に形成される１つの前後規制凸部２７及び２つの上下規制凸部２５と、ベース側板部４３に形成される１つの前後規制切欠部４７及び２つの上下規制孔部４５とで構成されている。
【００６４】
〈前後規制凸部・上下規制凸部〉
前後規制凸部２７の形成箇所は、実施形態１と同様、本体部２１の両側面である。２つの上下規制凸部２５は、前後規制凸部よりも後方で、前後規制凸部と離隔すると共に互いに離隔している。前方側の上下規制凸部２５の形成箇所は本体部２１の両側面であり、後方側の上下規制凸部２５の形成箇所は、配置部３１の両側面である。なお、前後２つの上下規制凸部２５の両方を配置部３１の側面に形成してもよい。
【００６５】
〈前後規制切欠部・上下規制孔部〉
前後規制切欠部４７及び２つの上下規制孔部４５の形成箇所はそれぞれ、ベース側板部４３の前後規制凸部２７及び２つの上下規制凸部２５に対応する位置である。２つの上下規制孔部４５の形状は共に、矩形状であり、２つの上下規制孔部４５は共に、周囲に開口することなく周囲が囲まれている。
【００６６】
変形例１のシールドコネクタ１０は、実施形態１のシールドコネクタ１０と同様、インナーハウジング２０とベース４１とのがたつきを効果的に抑制できる。
【産業上の利用可能性】
【００６７】
本発明のシールドコネクタ及びコネクタ付きシールドケーブルは、高速通信用のシールドケーブルに好適に利用可能である。
【符号の説明】
【００６８】
１  コネクタ付きケーブル
１０  シールドコネクタ
２０  インナーハウジング
２１  本体部    ２２  端子    ２３  端子孔
２５  上下規制凸部    ２７  前後規制凸部    ２８  縦溝
３１  配置部    ３２  配置溝
４０  シールドシェル
４１  ベース
４２  底板部    ４３  ベース側板部
４４  突起    ４５  上下規制孔部    ４７  前後規制切欠部
５１  カバー
５２  上板部    ５３  カバー側板部
５４  嵌合孔    ５８  突条部
６１  ハウジング収容部    ６２  電線収容部
６３  ケーブル挿入部
７０  バレル部    ７１，７２  圧着片
７５  突出片
１００  シールドケーブル
１１０  電線
１１１  導体    １１２  絶縁被覆
１２１，１２２  通信線  １２３  ドレイン線
１２４，１２５  通信線
１２６  電源線    １２７  グランド線
１３０  シールド導体  １４０  シース
【図１】
0006579438.tif 000002
【図２】
0006579438.tif 000003
【図３】
0006579438.tif 000004
【図４】
0006579438.tif 000005
【図５】
0006579438.tif 000006
【図６】
0006579438.tif 000007
【図７】
0006579438.tif 000008
【図８】
0006579438.tif 000009
【図９】
0006579438.tif 000010
【図１０】
0006579438.tif 000011